(57)【要約】【課題】洗浄・プライミング時の労力を軽減して作業性を向上させることができるとともに、作業時間を短縮し、且つ、人為的ミスを抑制することができる血液浄化装置及びそのプライミング方法を提供する。【解決手段】動脈側血液回路１及び静脈側血液回路２から成るとともに、患者の血液を体外循環させ得る血液回路と、動脈側血液回路１及び静脈側血液回路２の間に介装されて当該血液回路を流れる血液を浄化するダイアライザ３と、血液回路から分岐して延設され、当該血液回路に抗凝固剤を注入し得る抗凝固剤注入ラインＬ２とを具備した血液浄化装置において、動脈側血液回路１及び静脈側血液回路２の先端同士を接続して閉鎖回路を形成させるとともに、抗凝固剤注入ラインＬ２の先端Ｌ２ａを接続して当該抗凝固剤注入ラインＬ２と血液回路との間でもプライミング液を流通させ得る接続手段９を具備したものである。【選択図】図４
2006255394.tif 000002
【特許請求の範囲】
【請求項１】
先端に動脈側穿刺針が取り付けられる動脈側血液回路及び先端に静脈側穿刺針が取り付けられる静脈側血液回路から成るとともに、当該動脈側穿刺針から静脈側穿刺針まで患者の血液を体外循環させ得る血液回路と、
該血液回路の動脈側血液回路及び静脈側血液回路の間に介装されて当該血液回路を流れる血液を浄化する血液浄化手段と、
前記血液回路から分岐して延設され、当該血液回路に抗凝固剤又は薬液を注入し得る分岐ラインと、
を具備した血液浄化装置において、
前記動脈側血液回路及び静脈側血液回路の先端同士を接続して閉鎖回路を形成させるとともに、前記分岐ラインの先端を接続して当該分岐ラインと血液回路との間でもプライミング液を流通させ得る接続手段を具備したことを特徴とする血液浄化装置。
【請求項２】
前記接続手段には、前記血液回路における前記分岐ラインの分岐点から下流側を流れるプライミング液と前記分岐ラインを流れるプライミング液との流量を調整し得るオリフィスが形成されたことを特徴とする請求項１記載の血液浄化装置。
【請求項３】
前記接続手段における前記分岐ライン先端を接続し得る分岐ライン接続部に抗菌フィルタまたは逆止弁が形成されたことを特徴とする請求項１又は請求項２記載の血液浄化装置。
【請求項４】
血液浄化手段を介装させた動脈側血液回路先端と静脈側血液回路先端とを接続して閉鎖回路を形成するとともに、当該接続部位に血液回路から分岐した分岐ラインの先端を接続させ、当該分岐ラインと血液回路との間でもプライミング液を流通させることを特徴とする血液浄化装置のプライミング方法。
【請求項５】
前記血液回路における前記分岐ラインの分岐点から下流側を流れるプライミング液と前記分岐ラインを流れるプライミング液との流量を調整することを特徴とする請求項４記載の血液浄化装置のプライミング方法。
【発明の詳細な説明】
【技術分野】
【０００１】
本発明は、ダイアライザを使用した透析治療など、患者の血液を体外循環させつつ浄化するための血液浄化装置及びそのプライミング方法に関するものである。
【背景技術】
【０００２】
血液浄化装置としての透析装置は、図７に示すように、先端１０１ａに動脈側穿刺針（不図示）が取り付けられる動脈側血液回路１０１、及び先端１０２ａに静脈側穿刺針（不図示）が取り付けられる静脈側血液回路１０２から成る血液回路と、動脈側血液回路１０１及び静脈側血液回路１０２の間に介装されて血液回路を流れる血液を浄化するダイアライザ１０３と、動脈側血液回路１０１に配設された血液ポンプ１０４と、静脈側血液回路１０１及び静脈側血液回路１０２にそれぞれ配設された動脈側ドリップチャンバ１０５及び静脈側ドリップチャンバ１０６と、ダイアライザ１０３に透析液を供給し得る透析装置本体１０８とから主に構成されている。
【０００３】
また、動脈側血液回路１０１の途中からは、抗凝固剤注入ラインＬ２が分岐して延設されており、透析治療時において、体外循環する血液に抗凝固剤を注入させ得るようになっている。更に、動脈側血液回路１０１の先端１０１ａと血液ポンプ１０４との間には、生食ラインＬ１を介してプライミング液（生理食塩水）を収容した生食バッグ１０７が接続されており、透析治療前の洗浄・プライミング及び透析治療中の補液等を行い得るようになっている。
【０００４】
そして、例えば洗浄・プライミング時においては、従来、動脈側穿刺針及び静脈側穿刺針が取り付けられる前の動脈側血液回路１０１の先端１０１ａと静脈側血液回路１０２の先端１０２ａとを例えばシャントコネクタキャップ等で接続して閉鎖回路を形成するとともに、同図Ａ部を鉗子等によりクランプして流路を閉塞しておく。かかる状態で血液ポンプ１０４を駆動すると、生食バッグ１０７内のプライミング液が動脈側血液回路１０１を通って抗凝固剤注入ラインＬ２に至り、その先端から排出されることにより、当該抗凝固剤注入ラインＬ２の洗浄を行う。
【０００５】
その後、Ａ部の鉗子等を外してクランプを解くとともに、Ｂ部を鉗子等によりクランプして流路を閉塞すると、プライミング液は、動脈側血液回路１０１における抗凝固剤注入ラインＬ２の分岐部よりも下流側に流れ、ダイアライザ１０３及び静脈側血液回路１０２に至ることとなる。その過程において、静脈側ドリップチャンバ１０６をオーバーフローしたプライミング液をオーバーフローラインＬ３にて排出させつつ血液回路全体にプライミング液を満たしておき、洗浄・プライミングが終了する。尚、かかる先行技術は、文献公知発明に係るものでないため、記載すべき先行技術文献はない。
【０００６】
然るに、透析治療開始時には、動脈側血液回路１０１先端及び静脈側血液回路１０２先端に動脈側穿刺針及び静脈側穿刺針を取り付け、それぞれを患者に穿刺した後、透析装置本体１０８からダイアライザ１０３に透析液を供給しつつ血液ポンプ１０４を駆動することにより、患者の血液は、動脈側穿刺針を介して血液回路に導入され、ダイアライザ１０３を通って浄化及び除水された後、静脈側穿刺針を介して患者の体内に戻ることとなる。一方、抗凝固剤注入ラインＬ２の先端にはシリンジ等が接続され、体外循環過程における血液に抗凝固剤を注入し得るようになっている。
【発明の開示】
【発明が解決しようとする課題】
【０００７】
しかしながら、上記従来の血液浄化装置においては、洗浄・プライミング時、鉗子等によるクランプ作業が必要であり、且つ、そのクランプ位置を切り替える必要があるため、過大な労力が必要となり、作業性が悪いものとなっていた。また、抗凝固剤注入ラインＬ２の洗浄作業と、血液回路の洗浄・プライミング作業とを各々行わざるを得ず、作業時間が長くなってしまうとともに、人為的な作業ミスが生じ易いという問題もあった。
【０００８】
本発明は、このような事情に鑑みてなされたもので、洗浄・プライミング時の労力を軽減して作業性を向上させることができるとともに、作業時間を短縮し、且つ、人為的ミスを抑制することができる血液浄化装置及びそのプライミング方法を提供することにある。
【課題を解決するための手段】
【０００９】
請求項１記載の発明は、先端に動脈側穿刺針が取り付けられる動脈側血液回路及び先端に静脈側穿刺針が取り付けられる静脈側血液回路から成るとともに、当該動脈側穿刺針から静脈側穿刺針まで患者の血液を体外循環させ得る血液回路と、該血液回路の動脈側血液回路及び静脈側血液回路の間に介装されて当該血液回路を流れる血液を浄化する血液浄化手段と、前記血液回路から分岐して延設され、当該血液回路に抗凝固剤又は薬液を注入し得る分岐ラインとを具備した血液浄化装置において、前記動脈側血液回路及び静脈側血液回路の先端同士を接続して閉鎖回路を形成させるとともに、前記分岐ラインの先端を接続して当該分岐ラインと血液回路との間でもプライミング液を流通させ得る接続手段を具備したことを特徴とする。
【００１０】
請求項２記載の発明は、請求項１記載の血液浄化装置において、前記接続手段には、前記血液回路における前記分岐ラインの分岐点から下流側を流れるプライミング液と前記分岐ラインを流れるプライミング液との流量を調整し得るオリフィスが形成されたことを特徴とする。
【００１１】
請求項３記載の発明は、請求項１又は請求項２記載の血液浄化装置において、前記接続手段における前記分岐ライン先端を接続し得る分岐ライン接続部に抗菌フィルタまたは逆止弁が形成されたことを特徴とする。
【００１２】
請求項４記載の発明は、血液浄化手段を介装させた動脈側血液回路先端と静脈側血液回路先端とを接続して閉鎖回路を形成するとともに、当該接続部位に血液回路から分岐した分岐ラインの先端を接続させ、当該分岐ラインと血液回路との間でもプライミング液を流通させることを特徴とする。
【００１３】
請求項５記載の発明は、請求項４記載の血液浄化装置のプライミング方法において、前記血液回路における前記分岐ラインの分岐点から下流側を流れるプライミング液と前記分岐ラインを流れるプライミング液との流量を調整することを特徴とする。
【発明の効果】
【００１４】
請求項１及び請求項４の発明によれば、動脈側血液回路及び静脈側血液回路の先端同士を接続して閉鎖回路を形成させるとともに、分岐ラインの先端を接続して当該分岐ラインと血液回路との間でもプライミング液を流通させ得るので、洗浄・プライミング時の労力を軽減して作業性を向上させることができるとともに、作業時間を短縮し、且つ、人為的ミスを抑制することができる。
【００１５】
請求項２及び請求項５の発明によれば、血液回路における分岐ラインの分岐点から下流側を流れるプライミング液と分岐ラインを流れるプライミング液との流量を調整するので、通常比較的小径とされた抗凝固剤注入ライン等の分岐ラインにも、十分な量のプライミング液を流通させることができ、当該分岐ラインを確実に洗浄することができる。
【００１６】
請求項３の発明によれば、接続手段における分岐ライン先端を接続し得る分岐ライン接続部に抗菌フィルタまたは逆止弁が形成されたので、動脈側血液回路及び静脈側血液回路の先端同士を接続して閉鎖回路を形成させた状態を維持しつつ分岐ライン接続部から分岐ライン先端を取り外した状態において、当該分岐ライン接続部を介して空気や雑菌などの異物が接続手段内に侵入してしまうのを回避することができる。
【発明を実施するための最良の形態】
【００１７】
以下、本発明の実施形態について図面を参照しながら具体的に説明する。
本実施形態に係る血液浄化装置は、透析治療を行うための透析装置から成り、図１に示すように、動脈側血液回路１及び静脈側血液回路２から成る血液回路と、動脈側血液回路１及び静脈側血液回路２の間に介装されて血液回路を流れる血液を浄化するダイアライザ３（血液浄化手段）と、血液ポンプ４と、動脈側ドリップチャンバ５及び静脈側ドリップチャンバ６と、分岐ラインとしての抗凝固剤注入ラインＬ２と、オーバーフローラインＬ３と、ダイアライザ３に透析液を供給し得る透析装置本体８とから主に構成されている。
【００１８】
動脈側血液回路１は、その先端１ａが動脈側穿刺針を接続し得るようになっているとともに、途中にしごき型の血液ポンプ４及び除泡のための動脈側ドリップチャンバ５が配設されている一方、静脈側血液回路２は、その先端２ａが静脈側穿刺針を接続し得るようになっているとともに、途中に静脈側ドリップチャンバ６が接続されている。そして、動脈側穿刺針及び静脈側穿刺針を患者に穿刺した状態で、血液ポンプ４を駆動させると、患者の血液は、動脈側血液回路１を通ってダイアライザ３に至った後、該ダイアライザ３によって血液浄化が施され、静脈側ドリップチャンバ６で除泡がなされつつ静脈側血液回路２を通って患者の体内に戻る。即ち、患者の血液を血液回路にて体外循環させつつダイアライザ３にて浄化するのである。
【００１９】
ダイアライザ３は、その筐体部に、血液導入ポート３ａ、血液導出ポート３ｂ、透析液導入ポート３ｃ及び透析液導出ポート３ｄが形成されており、このうち血液導入ポート３ａには動脈側血液回路１が、血液導出ポート３ｂには静脈側血液回路２がそれぞれ接続されている。また、透析液導入ポート３ｃ及び透析液導出ポート３ｄは、透析装置本体８から延設された透析液導入ラインＬａ及び透析液排出ラインＬｂとそれぞれ接続されている。
【００２０】
ダイアライザ３内には、複数の中空糸が収容されており、該中空糸内部が血液の流路とされるとともに、中空糸外周面と筐体部の内周面との間が透析液の流路とされている。中空糸には、その外周面と内周面とを貫通した微少な孔（ポア）が多数形成されて中空糸膜を形成しており、該膜を介して血液中の不純物等が透析液内に透過し得るよう構成されている。
【００２１】
一方、透析装置本体８には、ダイアライザ３中を流れる患者の血液から水分を除去するための除水ポンプ（不図示）が配設されており、更には、透析液導入ラインＬａの一端がダイアライザ３（透析液導入ポート３ｃ）に接続されるとともに、他端が所定濃度の透析液を調製する透析液供給装置（不図示）に接続されている。また、透析液排出ラインＬｂの一端は、ダイアライザ３（透析液導出ポート３ｄ）に接続されるとともに、他端が図示しない廃液手段と接続されており、透析液供給装置から供給された透析液が透析液導入ラインＬａを通ってダイアライザ３に至った後、透析液排出ラインＬｂを通って廃液手段に送られるようになっている。
【００２２】
動脈側血液回路１における動脈側穿刺針ａと血液ポンプ４との間からは、生食ラインＬ１が延設され、その先端にプライミング液（生理食塩水）を収容した生食バッグ７が接続されているとともに、静脈側ドリップチャンバ６の空気層（上部）側からは、オーバーフローラインＬ３が延設されている。更に、動脈側血液回路１における血液ポンプ４と動脈側ドリップチャンバ５との間からは、血液回路を構成するチューブより小径のチューブから成る抗凝固剤注入ラインＬ２が分岐して延設されている。かかる抗凝固剤注入ラインＬ２は、透析治療時、その先端Ｌ２ａにシリンジ等を接続して、血液回路を流れる血液に抗凝固剤を注入し得るようになっている。
【００２３】
ここで、本実施形態に係る透析装置（血液浄化装置）においては、洗浄・プライミング時に使用するための接続手段９を具備している。かかる接続手段９は、図２及び図３に示すように、動脈側血液回路１の先端１ａを接続可能な動脈側接続部９ａと、静脈側血液回路２の先端２ａを接続可能な静脈側接続部９ｂと、抗凝固剤注入ラインＬ２の先端Ｌ２ａを接続可能な分岐ライン接続部９ｃとから構成されている。尚、かかる接続手段９は、従来のシャントコネクタキャップの側面に分岐ライン接続部９ｃを形成したものから成り、同図中符号Ｐは蓋部を示している。
【００２４】
更に具体的には、動脈側接続部９ａと静脈側接続部９ｂとが、略直線状に連通して流通路を形成するとともに、その流通路の略中央に合流する如く分岐ライン接続部９ｃが連通しており、全体の流通路が略Ｔ字状に形成されている。そして、図３に示すように、各接続部９ａ〜９ｃに、動脈側血液回路１、静脈側血液回路２及び抗凝固剤注入ラインＬ２の先端が各々接続されると、これらが連通してプライミング液を相互に流通し得るようになっている。
【００２５】
また、接続手段９における静脈側接続部９ｂから動脈側接続部９ａに亘る流通路であって、分岐ライン接続部９ｃからの合流点より静脈側接続部９ｂ側には、流通するプライミング液の流量を調整するオリフィス９ｄが形成されている。かかるオリフィス９ｄにより、血液回路における抗凝固剤注入ラインＬ２の分岐点から下流側を流れるプライミング液と当該抗凝固剤注入ラインＬ２を流れるプライミング液との流量を調整することができる。
【００２６】
即ち、血液回路よりも比較的小さな径の抗凝固剤注入ラインＬ２には、通常状態においてはプライミング液が流れ難くなるが、接続手段９のオリフィス９ｄにより、分岐点から血液回路側を流れるプライミング液の流量を抑制し、抗凝固剤注入ラインＬ２側に流れるプライミング液の流量を十分に確保することができるのである。従って、通常比較的小径とされた抗凝固剤注入ラインＬ２にも、十分な量のプライミング液を流通させることができ、当該抗凝固剤注入ラインＬ２を確実に洗浄することができる。
【００２７】
次に、上記透析装置に対するプライミング方法について説明する。
図４に示すように、ダイアライザ３を介装させた動脈側血液回路１の先端１ａと静脈側血液回路２の先端２ａとを接続手段９の動脈側接続部９ａ及び静脈側接続部９ｂにそれぞれ接続して閉鎖回路を形成するとともに、接続手段９の分岐ライン接続部９ｃに抗凝固剤注入ラインＬ２の先端Ｌ２ａを接続して（図３参照）、図４で示した状態とする。
【００２８】
かかる状態で、血液ポンプ４を駆動し、生食バッグ７内のプライミング液（生理食塩水）を血液回路内に導き、形成された閉鎖回路内で循環させつつ静脈側ドリップチャンバ６をオーバーフローした分だけオーバーフローラインＬ３にて排出させるとともに、抗凝固剤注入ラインＬ２にもプライミング液を流して洗浄する。即ち、抗凝固剤注入ラインＬ２の先端Ｌ２ａを接続手段９に接続して当該抗凝固剤注入ラインＬ２と血液回路との間でもプライミング液を流通させ得るので、血液回路の洗浄・プライミングと、抗凝固剤注入ラインＬ２の洗浄とを同時に行うことができるのである。
【００２９】
従って、洗浄・プライミング時の労力を軽減して作業性を向上させることができるとともに、作業時間を短縮することができる。また、従来の如く、鉗子等によるクランプ作業が不要とされるため、誤った部位をクランプしたり或いはクランプ力が不十分となる等のクランプミスを回避することができ、人為的ミスを抑制することができる。
【００３０】
更に、既述のように、接続手段９のオリフィス９ｄにより、血液回路における抗凝固剤注入ラインＬ２の分岐点から下流側を流れるプライミング液と当該抗凝固剤注入ラインＬ２を流れるプライミング液の流量が調整されているので、十分な量のプライミング液が抗凝固剤注入ラインＬ２にも流れることとなっている。尚、静脈側血液回路２の途中に配設されたクランプ手段Ｋ（図４参照）を用い、血液回路における抗凝固剤注入ラインＬ２の分岐点から下流側を流れるプライミング液の流量を抑制することにより、抗凝固剤注入ラインＬ２側に十分な量のプライミング液を流すようにしてもよい。
【００３１】
上記作業を所定時間継続して行った後、血液回路内にプライミング液が充填された状態で接続手段９を取り外し、洗浄・プライミングが終了する。その後、プライミング液で満たされた血液回路の動脈側血液回路１の先端１ａ及び静脈側血液回路２の先端２ａにそれぞれ動脈側穿刺針及び静脈側穿刺針を取り付け、患者に穿刺するとともに、血液ポンプ４を駆動させ、血液を血液回路にて体外循環させつつダイアライザ３にて浄化、除水して透析治療が行われる。
【００３２】
以上、本実施形態について説明したが、本発明はこれに限定されるものではなく、例えば接続手段９の分岐ライン接続部９ｃに抗凝固剤注入ラインＬ２とは異なる分岐ラインの先端を接続するようにしてもよい。例えば、血液回路から分岐して延設され、造血因子（エリスロポエチン）や鉄剤などを注入させるための薬剤注入ライン（分岐ライン）を具備したものにも適用することができ、その場合、当該薬剤注入ラインの先端を接続手段９の分岐ライン接続部９ｃに接続させて洗浄・プライミングを行うこととなる。
【００３３】
更に、本実施形態においては、従来からあるシャントコネクタキャップを流用して接続手段９を構成しているが、別途新たな部品としてもよい。その場合、外観形状が異なるもの或いは蓋部Ｐがないものとすることができ、或いは以下の他の実施形態の如き構成のものとすることができる。
【００３４】
１つ目の他の実施形態は、図５に示すように、動脈側血液回路１及び静脈側血液回路２の先端１ａ、２ａ同士を接続して閉鎖回路を形成させるとともに、抗凝固剤注入ラインＬ２（分岐ライン）の先端Ｌ２ａを接続して当該抗凝固剤注入ラインＬ２と血液回路との間でもプライミング液を流通させ得る接続手段９’を具備したもので、かかる接続手段９’は、動脈側血液回路１の先端１ａを接続可能な動脈側接続部９’ａと、静脈側血液回路２の先端２ａを接続可能な静脈側接続部９’ｂと、抗凝固注入ラインＬ２の先端Ｌ２ａを接続可能な分岐ライン接続部９’ｃとを有して構成されている。
【００３５】
このうち分岐ライン接続部９’ｃには、同図に示すように、抗菌フィルタ１０が配設されており、動脈側血液回路１及び静脈側血液回路２の先端１ａ、２ａ同士を接続して閉鎖回路を形成させた状態を維持しつつ分岐ライン接続部９’ｃから抗凝固剤注入ラインＬ２の先端Ｌ２ａを取り外した状態において、当該分岐ライン接続部９’ｃを介して雑菌などの異物が接続手段９’内に侵入してしまうのを回避することができるよう構成されている。
【００３６】
より具体的には、抗菌フィルタ１０は、例えば雑菌などの通過が困難な大きさの目を有した親水性フィルタから成り、プライミング時のプライミング液を通過させ得る一方、抗凝固剤注入ラインＬ２の先端Ｌ２が取り外された後、分岐ライン接続部９’ｃが外部に開放した状態となっても、雑菌等の通過を規制することにより、接続手段９’内の衛生状態を良好に保つことができるのである。
【００３７】
また、２つ目の他の実施形態は、図６に示すように、動脈側血液回路１及び静脈側血液回路２の先端１ａ、２ａ同士を接続して閉鎖回路を形成させるとともに、抗凝固剤注入ラインＬ２（分岐ライン）の先端Ｌ２ａを接続して当該抗凝固剤注入ラインＬ２と血液回路との間でもプライミング液を流通させ得る接続手段９”を具備したもので、かかる接続手段９”は、動脈側血液回路１の先端１ａを接続可能な動脈側接続部９”ａと、静脈側血液回路２の先端２ａを接続可能な静脈側接続部９”ｂと、抗凝固注入ラインＬ２の先端Ｌ２ａを接続可能な分岐ライン接続部９”ｃとを有して構成されている。
【００３８】
このうち分岐ライン接続部９”ｃには、同図に示すように、逆止弁１１が配設されており、動脈側血液回路１及び静脈側血液回路２の先端１ａ、２ａ同士を接続して閉鎖回路を形成させた状態を維持しつつ分岐ライン接続部９”ｃから抗凝固剤注入ラインＬ２の先端Ｌ２ａを取り外した状態において、当該分岐ライン接続部９”ｃが大気開放となってしまうのを防止して、空気が接続手段９”内に侵入したり或いは接続手段９”内のプライミング液が外部に漏れてしまうのを回避することができるよう構成されている。
【００３９】
より具体的には、逆止弁１１は、例えば基端１１ａが分岐ライン接続部９”ｃの内周壁に固定され、先端１１ｂが開閉可能とされた所謂ダックビル式の弁から成り、抗凝固剤注入ラインＬ２が分岐ライン接続部９”ｃに接続されて当該抗凝固剤注入ラインＬ２から接続手段９”内にプライミング液が流入すると、先端１１ｂが開放してプライミング液の流入を許容する一方、抗凝固剤注入ラインＬ２の先端Ｌ２が取り外されて当該抗凝固剤注入ラインＬ２からのプライミング液の流入がない状態では、先端１１ｂがその弾力にて固く閉じるよう構成されている。
【００４０】
これにより、抗凝固剤注入ラインＬ２の先端Ｌ２が取り外された状態であっても、分岐ライン接続部９”が大気開放されてしまうのを回避でき、接続手段９’内の衛生状態を良好に保つことができるのである。尚、逆止弁の形態は、上記の如き所謂ダックビル式のものに限定されず、種々汎用的なものに代えることができる。
【００４１】
然るに、抗凝固剤注入ラインＬ２の先端Ｌ２ａが接続される分岐ライン接続部に、上記の如き抗菌フィルタと逆止弁との両者を配設するようにしてもよい。また、抗菌フィルタを内在した部位（抗菌フィルタ内在部品）或いは逆止弁を内在した部位（逆止弁内在部品）を接続手段とは別部材とし、これら部品を接続手段の分岐ライン接続部に接続させるよう構成してもよい。この場合、抗菌フィルタ内在部品や逆止弁内在部品を脱着して交換することができ、衛生上更に良好とすることができる。尚、図５及び図６中、符号９’ｄ及び９”ｄは、先の実施形態と同様の流通するプライミング液の流量を調整するオリフィスを示しているが、かかるオリフィス９’ｄ及び９”ｄを形成しないものとしてもよい。
【００４２】
尚、本実施形態においては、透析治療時に用いられる透析装置に適用しているが、患者の血液を体外循環させつつ浄化し得る他の装置（例えば血液濾過透析法、血液濾過法、ＡＦＢＦで使用される血液浄化装置、血漿吸着装置など）に適用してもよい。
【産業上の利用可能性】
【００４３】
血液浄化手段を介装させた動脈側血液回路先端と静脈側血液回路先端とを接続して閉鎖回路を形成するとともに、当該接続部位に血液回路から分岐した分岐ラインの先端を接続させ、当該分岐ラインと血液回路との間でもプライミング液を流通させる血液浄化装置及びそのプライミング方法であれば、他の形態及び用途のものにも適用することができる。
【図面の簡単な説明】
【００４４】
【図１】本発明の実施形態に係る透析装置（血液浄化装置）を示す模式図
【図２】同透析装置における接続手段を示す外観図
【図３】同接続手段を示す縦断面図
【図４】同透析装置であって閉鎖回路を形成した状態を示す模式図
【図５】本発明の１つ目の他の実施形態に係る接続手段を示す縦断面図
【図６】本発明の２つ目の他の実施形態に係る接続手段を示す縦断面図
【図７】従来の透析装置を示す模式図
【符号の説明】
【００４５】
１    動脈側血液回路
２    静脈側血液回路
１ａ、２ａ  先端
３    ダイアライザ（血液浄化手段）
４    血液ポンプ
５    動脈側ドリップチャンバ
６    静脈側ドリップチャンバ
７    生食バッグ
８    透析装置本体
９、９’、９”    接続手段
９ｃ、９’ｃ、９”ｃ  分岐ライン接続部
Ｌ１  生食ライン
Ｌ２  抗凝固剤注入ライン（分岐ライン）
Ｌ２ａ  先端
Ｌ３  オーバーフローライン
【図１】
2006255394.tif 000003
【図２】
2006255394.tif 000004
【図３】
2006255394.tif 000005
【図４】
2006255394.tif 000006
【図５】
2006255394.tif 000007
【図６】
2006255394.tif 000008
【図７】
2006255394.tif 000009